【手続補正書】
【提出日】平成19年5月24日(2007.5.24)
【手続補正１】
【補正対象書類名】明細書
【補正対象項目名】特許請求の範囲
【補正方法】変更
【補正の内容】
【特許請求の範囲】
【請求項１】  便座及び該便座の開閉を支持するケースを備えた便座装置において、便座先端よりも前側上方を検知可能な人体検知センサを便座の後端縁と対向する位置のケース前側に設け、前記便座の開閉に応じて前記人体検知センサの検知領域を変更する変更手段を設けたことを特徴とする便座装置。
【請求項２】  便座、便蓋、及び便座と便蓋の開閉を支持するケースを備えた便座装置において、前記便蓋が閉じた状態における便蓋先端よりも前側上方を検知可能で、且つ前記便蓋が開いた状態における前記便座よりも前側上方を検知可能な人体検知センサを便蓋及び便座の後端縁と対向する位置のケース前側に設けたことを特徴とする便座装置。
【請求項３】  請求項２記載の便座装置において、便座の開閉に応じて人体検知センサの検知領域を変更する変更手段を設けたことを特徴とする便座装置。
【請求項４】  請求項１若しくは３記載の便座装置において、前記変更手段は前記人体検知センサの配置を移動させることにより検知領域を可変させる駆動機構により構成したことを特徴とする便座装置。
【請求項５】  請求項１若しくは３記載の便座装置において、前記変更手段は前記人体検知センサを回転させることにより検知領域を可変させる駆動機構により構成したことを特徴とする便座装置。
【請求項６】  請求項１若しくは３記載の便座装置において、前記変更手段は人体検知センサ前方に配置されたレンズを移動する駆動機構により構成したことを特徴とする便座装置。
【請求項７】  請求項１乃至請求項６のいずれか１項に記載の便座装置において、便座先端よりも手前の人体を検知可能な着座センサを便座の後端縁と対向する位置のケース前側に設けたことを特徴とする便座装置。
【請求項８】  回動可能な便座と、前記便座上に回動可能な便蓋と、人体検知センサを備えた便座装置において、前記便座、便蓋の姿勢により、前記人体検知センサの検知領域を可変させる駆動機構を設けたことを特徴とする便座装置。
【請求項９】  請求項８記載の便座装置において、前記駆動機構は前記人体検知センサの配置を移動させることにより検知領域を可変させることを特徴とする便座装置。
【請求項１０】  請求項８記載の便座装置において、前記駆動機構は前記人体検知センサを回転させることにより検知領域を可変させることを特徴とする便座装置。
【請求項１１】  請求項９若しくは請求項１０記載の便座装置において、電気により動くアクチュエータを前記駆動機構としたことを特徴とする便座装置。
【請求項１２】  請求項９若しくは請求項１０記載の便座装置において、前記駆動機構を一つのアクチュエータで構成してなり、前記アクチュエータの動きを伝達する手段により、複数の人体検知センサを可動させることを特徴とする便座装置。
【請求項１３】  回動可能な便座と、前記便座上に回動可能な便蓋と、人体検知センサと、着座センサを備えた便座装置において、前記便座、便蓋の姿勢により、前記人体検知センサの検知領域を可変させる駆動機構と、前記着座センサの検知領域を可変させる駆動機構を設けたことを特徴とする便座装置。
【請求項１４】  請求項１３の便座装置において、前記人体検知センサの配置を移動させることにより検知領域を可変させる駆動機構と、前記着座センサの配置を移動させることにより検知領域を可変させる駆動機構を設けたことを特徴とする便座装置。
【請求項１５】  請求項１３記載の便座装置において、前記人体検知センサを回転させることにより検知領域を可変させる駆動機構と、前記着座センサを回転させることにより検知領域を可変させる駆動機構を設けたことを特徴とする便座装置。
【請求項１６】  回動可能な便座と、前記便座上に回動可能な便蓋と、人体検知センサと、前記人体検知センサの外側にレンズを備えた便座装置において、前記便座、便蓋の姿勢により、前記レンズを移動させることにより人体検知センサの検知領域を可変させる駆動機構を設けたことを特徴とする便座装置。
【請求項１７】  回動可能な便座と、前記便座上に回動可能な便蓋と、人体検知センサを備えた便座装置において、前記便座の開閉又は便蓋の開閉に応じて、前記人体検知センサの検知領域を可変させる駆動機構を備えたことを特徴とする便座装置。
【請求項１８】  回動可能な便座と、前記便座上に回動可能な便蓋と、人体検知センサと、着座センサを備えた便座装置において、前記便座の開閉又は便蓋の開閉に応じて、前記人体検知センサの検知領域を可変させる駆動機構と、前記着座センサの検知領域を可変させる駆動機構を備えたことを特徴とする便座装置。
【請求項１９】  回動可能な便座と、前記便座上に回動可能な便蓋と、人体検知センサを備えた便座装置において、前記便座又は便蓋の回動を、前記人体検知センサの検知領域を可変させる駆動機構に、機械的に伝える伝達手段を備えたことを特徴とする便座装置。
【請求項２０】  回動可能な便座と、前記便座上に回動可能な便蓋と、人体検知センサと、着座センサを備えた便座装置において、前記便座又は便蓋の回動を、前記人体検知センサまたは着座センサの検知領域を可変させる駆動機構に、機械的に伝える伝達手段を備えたことを特徴とする便座装置。
【請求項２１】  人体検知センサと、前記人体検知センサの検知信号を遮るように動作する可動物とを備えた電気機器において、可動物の動作に応じて、前記人体検知センサの検知信号の出力方向を可変させる駆動機構を備えたことを特徴とする電気機器。
【手続補正２】
【補正対象書類名】明細書
【補正対象項目名】０００４
【補正方法】変更
【補正の内容】
【０００４】
【発明が解決しようとする課題】
しかしながら、特開平８−３１９６４８号開示の装置では、装置の前面を大きく開閉する便座５や便蓋６があるため、人体検知センサが少なくとも２つ必要となり高価なものとなる。また、人体検知センサを少なくとも２つ設置するため、ケースカバーが大きくなりデザイン性が悪くなるという問題がある。さらには、黒色をした人体検知センサのフィルター部が２箇所となり著しく外観を損なうことになる。
本発明は上記課題を解決するためになされたもので、本発明の目的は、人体検知センサの前を可動物が遮っても、人体検知センサを使用可能にすることにあり、さらには便座、便蓋の姿勢に関わらず、便器前の人体を１つの人体検知センサで検出可能な便座装置を提供することを目的とする。
【手続補正３】
【補正対象書類名】明細書
【補正対象項目名】０００５
【補正方法】変更
【補正の内容】
【０００５】
【課題を解決するための手段及び作用及び効果】
上記課題を解決するために請求項１の発明では、便座先端よりも前側上方を検知可能な人体検知センサを便座の後端縁と対向する位置のケース前側に設け、前記便座の開閉に応じて前記人体検知センサの検知領域を変更する変更手段を設けたので、便座の姿勢に関わらず便器前の人体を１つの人体検知センサで検出することが可能となる。また、人体検知センサの検知領域を広く確保することができると共に、便座による誤検知を確実に無くすことができる。
【手続補正４】
【補正対象書類名】明細書
【補正対象項目名】０００６
【補正方法】変更
【補正の内容】
【０００６】
請求項２の発明では、前記便蓋が閉じた状態における便蓋先端よりも前側上方を検知可能で、且つ前記便蓋が開いた状態における前記便座よりも前側上方を検知可能な人体検知センサを便蓋及び便座の後端縁と対向する位置のケース前側に設けたので便座、便蓋の姿勢に関わらず便器前の人体を１つの人体検知センサで検出することが可能となる。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項３の発明では、請求項２記載の発明に加え、便座の開閉姿勢に応じて人体検知センサの検知領域を変更する変更手段を設けたので人体検知センサの検知領域を広く確保することができると共に、便座による誤検知を確実に無くすことができる。
請求項１若しくは３記載の発明は、請求項４に記載のように、前記変更手段を前記人体検知センサの配置を移動させることにより検知領域を可変させる駆動機構により構成できる。
また、請求項１若しくは３記載の発明は、請求項５に記載のように、前記変更手段を前記人体検知センサを回転させることにより検知領域を可変させる駆動機構により構成できる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
また、請求項１若しくは３記載の発明は、請求項６に記載のように、前記変更手段を人体検知センサ前方に配置されたレンズを移動する駆動機構により構成できる。
【手続補正９】
【補正対象書類名】明細書
【補正対象項目名】００１１
【補正方法】変更
【補正の内容】
【００１１】
請求項７の発明では、請求項１乃至請求項６記載の発明に加え、便座先端よりも手前の人体を検知可能な着座センサを便座の後端縁と対向する位置のケース前側に設けたので、人体検知センサの近傍に着座センサを配することができ、センサ用透過窓を人体検知センサと共通に用いることができる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
請求項８記載の発明は、回動可能な便座と、前記便座上に回動可能な便蓋と、人体検知センサを備えた便座装置において、前記便座、便蓋の姿勢により、前記人体検知センサの検知領域を可変させる駆動機構を設けた。
この発明によれば、便座，便蓋が閉じた状態にあるときには、前記人体検知センサを便蓋の上方に向けて投光ができるように検知領域を可変させる。これにより、便器前方の人体を検知することが可能となり、使用者が近づいたときは、人体検知センサによる人体検知信号に基づいて、自動的に便蓋を開くことができる。